【事件の表示】
　上記当事者間の登録第４６４２３４７号商標の登録取消審判事件について、次のとおり審決する。
【結　論】
　登録第４６４２３４７号商標の指定商品中「レコード，メトロノーム，電子楽器用自動演奏プログラムを記憶させた電子回路及びＣＤ−ＲＯＭ，映写フィルム，スライドフィルム，スライドフィルム用マウント，録画済みビデオディスク及びビデオテープ，電子出版物」については、その登録は取り消す。
　審判費用は、被請求人の負担とする。
【理　由】
１　本件商標
　本件登録第４６４２３４７号商標（以下「本件商標」という。）は、「ピクセラ」の文字を標準文字としてなり、平成１４年４月４日に登録出願、第９類「顕微鏡用デジタルカメラ，電子計算機用デジタルカメラ，その他のデジタルカメラ，ＣＣＤカメラ，監視カメラ，その他の電気通信機械器具，画像データの表示・処理及び管理用の電子計算機用プログラム，その他の電子計算機用プログラム，その他の電子応用機械器具及びその部品，映画機械器具，光学機械器具，写真機械器具，映写フィルム，スライドフィルム，スライドフィルム用マウント，録画済みビデオディスク及びビデオテープ，耳栓，加工ガラス（建築用のものを除く。），アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター，理化学機械器具，測定機械器具，配電用又は制御用の機械器具，回転変流機，調相機，電池，電気磁気測定器，電線及びケーブル，電気アイロン，電気式ヘアカーラー，電気ブザー，磁心，抵抗線，電極，消防艇，ロケット，消防車，自動車用シガーライター，事故防護用手袋，防じんマスク，防毒マスク，溶接マスク，防火被服，眼鏡，家庭用テレビゲームおもちゃ，携帯用液晶画面ゲームおもちゃ用のプログラムを記憶させた電子回路及びＣＤ−ＲＯＭ，スロットマシン，ウエイトベルト，ウエットスーツ，浮袋，運動用保護ヘルメット，エアタンク，水泳用浮き板，レギュレーター，レコード，メトロノーム，電子楽器用自動演奏プログラムを記憶させた電子回路及びＣＤ−ＲＯＭ，計算尺，電子出版物」を指定商品として、同１５年１月３１日に設定登録されたものである。
　　
２　請求人の主張
　請求人は、結論同旨の審決を求め、その理由及び答弁に対する弁駁を次のように述べ、証拠方法として甲第１号証ないし同第４号証を提出した。
（１）請求の理由
　本件商標は、その指定商品中「レコード，メトロノーム，電子楽器用自動演奏プログラムを記憶させた電子回路及びＣＤ−ＲＯＭ，映写フィルム，スライドフィルム，スライドフィルム用マウント，録画済みビデオディスク及びビデオテープ，電子出版物」について、継続して３年以上日本国内において商標権者、専用使用権者又は通常使用権者のいずれも使用した事実が存しないから商標法第５０条第１項の規定により取り消されるべきものである。
（２）弁駁
　ア　本件商標の使用
（ア）被請求人は、乙第１号ないし同第５号証により本件商標が商品「録画済みビデオディスク」に使用されたものである旨主張している。
（イ）上記乙号証は、何れも本件商標が該商品に使用された事実を客観的に立証する証拠になり得ないことは明らかであり、乙号証によって本件商標が商品「録画済みビデオディスク」　に使用されたと結論づけることはできない。
　イ　乙第１号証について
（ア）被請求人は、「乙第１号証は被請求人の製品カタログの１つである。これは平成９年（１９９７年）から現在に至るまで継続して配布されているものである。」旨を主張するが、同号証は製品カタログそのものであり、これをもって継続して配布されたことまで客観的に立証できるものではない。
（イ）すなわち、上記製品カタログは、その裏表紙の「開発・製造　Ｐｉｘｅｒａ　Ｃｏｒｐｏｒａｔｉｏｎ」なる表示の下方隅に小さく「このカタログは、１９９７年７月現在のものです。」とし、今から１０年以上も前に作成されたものであることを示唆する記載があるに過ぎない。
（ウ）また、上記製品カタログには、その表紙に「１２０万画素でコミュニケーション」と表示し、商品「デジタルカメラ」の高精細画像を提供できることを唱っており、しかも、この種商品が一般に画素数の大きさが顧客の商品購入の決め手の一つであることに鑑みれば、カタログ一つで発売当初から１０年以上も画素数の変わらない「デジタルカメラ」を販売し続けること自体、不自然であり、このカタログが今なお配布しているという被請求人の主張は信じがたい。
（エ）さらに、被請求人は、本件商標の片仮名文字「ピクセラ」が上記カタログ中、「その右上端に、「ｐｉｘｅｒａ」の欧文字と、「ピクセラ」の片仮名が横線を介して上下二段に併記されている。」ことにより、本件商標の使用を立証しようとしている。
（オ）しかるに、上記製品カタログは、「デジタルカメラ」を中心としてこれに使用する各種のソフトウェア等複数の商品を掲載したものであり、そうであれば、上記「ピクセラ」が「デジタルカメラ」か「ソフトウェア」か、何れの商品の商標か、あるいは双方の商標であるか、全く不明である。
（カ）この点、被請求人は、乙第５号証の顧客からの注文書及び自社請求書においてもその「品名」の欄に「ピクセラ」又は「ｐｉｘｅｒａ」の表示が一切なく、「ピクセラ」が少なくとも商品「ソフトウェア」の商標として認識され使用されているとは言い難く、乙第１号証の「ピクセラ」が商品「ソフトウェア」の商標として使用されているとは到底考えられない。
（キ）むしろ、上記「ピクセラ」は、商品の名称というよりも被請求人の社名の略称を片仮名文字で表示したと考えるのが自然であり、乙第１号証の製品カタログ上の「ピクセラ」は商品の名称を指称する商標というより会社の略称を片仮名文字で表示したものに過ぎないため、本件商標の使用にあたらないことは明らかである。
　ウ　乙第２号証ないし同第４号証について
（ア）被請求人は、乙第２号証の１、２の「Ｖｉｓｕａｌ　Ｃｏｍｍｕｎｉｃａｔｉｏｎ　Ｓｕｉｔｅ」及び「１２０ｅｓ　Ａｐｐｌｉｃａｔｉｏｎ　Ｓｕｉｔｅ」と題するＣＤ−ＲＯＭには、「各種ソフトウェア等が記録されているが、いずれにも”Ａｌｂｕｍ　ｖ２．０”なるソフトが含まれている。」旨を主張している。
（イ）そして、上記”Ａｌｂｕｍ　ｖ２．０”は、これをパソコン上で起動させると乙第３号証の１ないし１３の画像が表示され、あるいは、乙第４号証の１ないし３の動画画像が表れるものであり、このような画像ファイルや音声入り動画ファイルが乙第２号証のＣＤ−ＲＯＭに記録されていることにより、該ＣＤ−ＲＯＭが「ソフトウェア」であると共に「録画済みビデオディスク」にも該当する二面性を有する複合的な商品であるとの主張を展開している。
（ウ）商標法第５０条の適用上、「商品」といえるためには市場において独立して商取引の対象として流通に供される物でなければならず、また、「商品についての登録商標の使用」があったというためには、該商品の識別標識として同法第２条第３項、第４項所定の行為がされることを要するものというべきである（平成１２年（行ケ）第１１７号判決参照）。
（エ）被請求人が主張する上記”Ａｌｂｕｍ　ｖ２．０”が「録画済みビデオディスク」として独立して商取引の対象となり得るか否かを検討すると、該ソフトに格納された画像ファイルとは、乙第３号証の１ないし１３によれば、各画面上方右隅に「ｄｅｍｏ−ＰＩＸＥＲＡ　Ａｌｂｕｍ」の表示があるとおり、「ＰＩＸＥＲＡ　Ａｌｂｕｍ」がどのような機能を持つ「ソフトウェア」かを示すために用意された「デモ版」（製品紹介プログラム）で、いわば商品説明書のようなものといえ、これ自体が決して独立して商取引の対象となるものではない。
（オ）一方、同号証の画面に映し出された「ＰＩＸＥＲＡ　Ａｌｂｕｍ」とは、被請求人提出の乙第１号証の製品カタログにおいて（裏表紙）、
「◆キャプチャした画像をアルバムにストック。タイトル別に整理して管理できます。◆スタジオからアルバムへ自動転送で貼り付けることができます。◆もちろんアルバムからスタジオに取り込むことも可能です。◆ＴＷＡＩＮドライバーにより他社のスキャナーやデジタルカメラからも画像取り込みが可能です（Ｗｉｎｄｏｗｓ９５のみ）」旨の記述があるとおり、デジタルカメラでキャプチャした画像を電子を応用して整理し管理等するものであり、正にこれは商品「電子計算機用プログラム」の機能そのものに他ならない。
（カ）上記の「電子計算機用プログラム」が第９類の「電子応用機械器具及びその部品」に含まれることは、特許庁商標課編「類似商品・役務審査基準」において、「電子応用機械器具及びその部品」の中に「電子計算機用プログラム」（類似群コード：１１Ｃ０１）の記載があることから明白である（甲第３号証）。
（キ）さらに「電子計算機用プログラム」に上記「ＰＩＸＥＲＡ　Ａｌｂｕｍ」のような「ソフトウェア」が「電子計算機用プログラム」に含まれることは、特許庁商標課編「商品及び役務の区分解説〔国際分類第８版対応〕」において、「電子計算機用プログラムには、ダウンロードによる電子計算機用プログラム、記録媒体に記憶した電子計算機用プログラムのソフトウェアが含まれる。」旨の記述から裏付けることができる（甲第４号証）。
（ク）また、乙第４号証の１ないし３の動画画像は、その内容について被請求人が一切言及していないため、各画像から推認する他ないが、同号証の１がパソコン本体及びキーボード、その前にデジタルカメラが配置された様子、同号証の２が外国人女性が正面を向いてパソコンの画面に何らかの画像を映し出して説明している様子、さらに同号証の３ではこの女性がパソコンに向かって操作している様子を映し出しており、これら様子からは商品「デジタルカメラ」を操作した商品紹介の動画と考えるのが自然である。
（ケ）乙第４号証の１ないし３の動画画像も、上記乙第３号証の画像ファイルと同様に、単なる「デジタルカメラ」の操作を説明したものに過ぎず、この画像自体が別個独立に商取引の対象となり得るものでないことは明らかである。
　エ　小括
（ア）以上より被請求人は、ＣＤ−ＲＯＭに記録されている「ソフトウェア」に画像ファイル及び動画ファイルが記録されているだけで、該ファイルが独立して商取引の対象となるか否かを検討することなく、「ソフトウェア」でも「録画済みビデオディスク」でもあるという根拠のない主張をしているに過ぎない。
（イ）結局、乙第２号証のＣＤ−ＲＯＭは、被請求人の販売する「デジタルカメラ」でキャプチャした画像をストック等するための「アルバムソフト」が記録されたものであり、あくまで商取引の対象が「ソフトウェア」である以上、該ＣＤ−ＲＯＭは「電子計算機用プログラム」に含まれる「ソフトウェア」そのものであり、被請求人主張のような「録画済みビデオディスク」に該当する二面性は一切認められない。
（ウ）よって、乙第２号証ないし同第４号証は、何れも本件商標が商品「録画済みビデオディスク」に使用されたことを立証する証拠になり得ない。
　オ　乙第５号証の１ないし４について
（ア）乙第５号証の１は、商品名の欄に「Ｖｉｓｕａｌ　Ｃｏｍｍｕｎｉｃａｔｉｏｎ　Ｓｕｉｔｅ　Ｖｅｒ」と印字され、その下段に小さく手書きで「２−１」と表示された注文書であり、この注文書に対応する請求書（乙第５号証の３）には「品名」として「Ｖｉｓｕａｌ　Ｃｏｍｍｕｎｉｃａｔｉｏｎ　Ｓｕｉｔｅ　Ｖｅｒ２．１」と印字されているが、これら品名には本件商標の片仮名文字「ピクセラ」はもとより、欧文字「ｐｉｘｅｒａ」も一切表示されていない。
（イ）また、乙第５号証の２は、商品名に「１２０ｅｓ用ソフト」と印字された注文書であり、この注文書に対応する納品書（乙第５号証の４）には商品コードの欄に「ＰＩＸ−１２０ｅｓ」と「１２０ｅｓ　Ａｐｐｌｉｃａｔｉｏｎ　ｓｕｉｔｅ」と二段表示があるが、これら品名にも本件商標及び「ｐｉｘｅｒａ」なる文字も一切表示されていない。
（ウ）被請求人は、上記注文書に品名として表示された商品が乙第２号証の１、２のＣＤ−ＲＯＭとしているが、そもそもこれら書類に表示され実際に取引された商品と乙第２号証のＣＤ−ＲＯＭが同一のものであることは何ら立証しておらず、乙第５号証だけで「ｐｉｘｅｒａ」なる文字が表示された乙第２号証のＣＤ−ＲＯＭが販売されたと考えるのは無理がある。
　　
３　被請求人の主張
　被請求人は、本件審判請求は成り立たない、審判費用は請求人の負担とするとの審決を求めると答弁し、その理由を次のように述べ、証拠方法として乙第１号証ないし同第６号証（枝番を含む。）を提出した。
（１）請求人は、本件商標が、その指定商品中「レコード，メトロノーム，電子楽器用自動演奏プログラムを記憶させた電子回路及びＣＤ−ＲＯＭ，映写フィルム，スライドフィルム，スライドフィルム用マウント，録画済みビデオディスク及びビデオテープ，電子出版物」について、継続して３年以上日本国内において使用された事実がないから、商標法第５０条第１項の規定により取り消されるべき旨を主張している。
　しかし、乙第１号証ないし第５号証（枝番を含む。）から明らかなように、本件商標は、取消請求に係る指定商品中「録画済みビデオディスク」について使用されていたものである。
（２）乙第１号証は、被請求人の製品カタログの１つである。これは１９９７年から現在に至るまで継続して配布されているものであり、その右上端に、「ｐｉｘｅｒａ」の欧文字と「ピクセラ」の片仮名が横線を介して上下二段に併記されている。かかるカタログは、被請求人の製造・販売に係るデジタルカメラと各種ソフトウェアを広告宣伝するためのものであり、被請求人の日本での営業所（川崎市高津区坂戸３丁目２番１号）などにおいて配布されている。
　そして、乙第２号証の１及び２は、「Ｖｉｓｕａｌ　Ｃｏｍｍｕｎｉｃａｔｉｏｎ　Ｓｕｉｔｅ」及び「１２０ｅｓ　Ａｐｐｌｉｃａｔｉｏｎ　Ｓｕｉｔｅ」と題するＣＤ−ＲＯＭを、包装のある状態とない状態で撮影した写真であり、ディスク表面の下方に、小文字で「ｐｉｘｅｒａ」が表示されている。これらＣＤ−ＲＯＭには、その表面の上下方向の中央付近に記載されているとおり、各種ソフトウェア等が記録されているが、いずれにも“Ａｌｂｕｍ　ｖ２．０”なるソフトウェアが含まれている。
　上記“Ａｌｂｕｍ　ｖ２．０”はＰＣ上で起動可能であり、これを起動させた際の画面をプリントアウトしたものが乙第３号証の１ないし１３である。これら画面から明らかなように、多数の画像ファイルが幾つかのフォルダに分けられて格納されているとともに、“Ａ−Ｖ”フォルダには動画像ファイル“　Ｉｎｔｒｏ（音声入り）が含まれている。同動画像ファイルは、乙第４号証の１ないし３に示されるとおり、“Ｗｉｎｄｏｗｓ　Ｍｅｄｉａ　Ｐｌａｙｅｒ”で再生することができ、また、静止画像ファイルはＤＶＤプレイヤーでも再生可能である。
　このような静止画像及び動画像が記録されたＣＤ−ＲＯＭは、デジタルカメラとともに販売されることもあるが、件外の日本ポラデジタル株式会社（東京都中央区に所在）とライカ　マイクロシステムズ株式会社（東京都港区に所在）からの注文書（平成１７年１月１４日及び平成１９年１月１７日付）に“Ｖｉｓｕａｌ　Ｃｏｍｍｕｎｉｃａｔｉｏｎ　Ｓｕｉｔｅ　Ｖｅｒ．２．１”及び“１２０ｅｓ用ソフト”と記載され、また、これらに対応する被請求人の納品書・請求書（平成１７年１月１８日及び平成１９年１月１８日付）に、“Ｖｉｓｕａｌ　Ｃｏｍｍｕｎｉｃａｔｉｏｎ　Ｓｕｉｔｅ　Ｖｅｒ．２．１”及び“１２０ｅｓ　Ａｐｐｌｉｃａｔｉｏｎ　Ｓｕｉｔｅ”に記載されているとおり、単独でも販売されている（乙第５号証の１ないし４）。
（３）上述した製品カタログに表れた“ピクセラ”の表示は本件商標と同一である。また、同カタログとＣＤ−ＲＯＭの表面に表れた“ｐｉｘｅｒａ”の表示は、本件商標と同一の称呼「ピクセラ」を生じるから、本件商標と社会通念上同一であることは明らかである。
　そして、前述のＣＤ−ＲＯＭには画像及び音声が記録されているところ、ＪＩＳ規格によれば、“ビデオディスク”は“画像及び音声のアナログ信号・ディジタル信号が，らせん状に記録された円盤状の記録媒体”と定義されているから（Ｚ６０１５　０１．４６）、当該ＣＤ−ＲＯＭが「録画済みビデオディスク」に該当することは明らかである。なお、ある製品が商標実務上の２以上の商品概念に属することがあることは経験則の教えるところであるから、上記ＣＤ−ＲＯＭがコンピュータプログラムをも含んでいるがゆえに、また、ＰＣ上で作動するものであるがゆえに、直ちに、上記ＣＤ−ＲＯＭが「録画済みビデオディスク」に該当しないということはできない。
　また、前述の製品カタログがデジタルカメラと各種ソフトウェアに関するものであることは上述したとおりであるが、この“各種ソフトウェア”には、上記ＣＤ−ＲＯＭに記憶された“Ａｌｂｕｍ”が含まれており（乙第１号証参照）、しかも、上記ＣＤ−ＲＯＭは上述のとおり「録画済みビデオディスク」に該当するものであるから、当該カタログは「録画済みビデオディスク」に関する広告であるとも言える。
　先に述べたとおり、上記ＣＤ−ＲＯＭが平成１７年１月１８日及び平成１９年１月１８日に日本で販売され、また、上記カタログは平成９年から現在に至るまで継続して頒布されていたから、本件商標と社会通念上同一の商標が本件審判の予告登録前３年以内に日本において使用されたことは明らかである。
（４）以上のように、本件商標は、本件審判の予告登録前３年以内に日本において、取消請求に係る指定商品中「録画済みビデオディスク」について使用されていたものである。
　　　
４　当審の判断
（１）被請求人提出の証拠によれば、以下の事実が認められる。
　ア　製品カタログ（乙第１号証）は、被請求人の製品に係るものと認められるところ、その表面の最上部に、「Ｖｉｓｕａｌ　Ｃｏｍｍｕｎｉｃａｔｉｏｎ　Ｓｙｓｔｅｍ」との表示があり、「１２０万画素でコミュニケーション。」として、デジタルカメラ、フォトレタッチソフト、アルバムソフト等がワンパッケージである旨の記載と、スタンドに設置されたカメラの写真を表している。そして、中央部に、写真で「品質管理（プリント基板のマクロ撮影）」「医療・研究の顕微鏡撮影（ニワトリの幼生）」「Ｐｉｘｅｒａ　Ａｌｂｕｍ」「Ｐｉｘｅｒａ　Ｓｔｕｄｉｏ」等の例を掲載し、左下部に「ビデオ会議」の模様を写したと思しき写真が掲載されている。さらに、上部右には、「ｐｉｘｅｒａ」及び「ピクセラ」の表示がある。
　また、カタログ裏面には、「ピクセラ・ビジュアルコミュニケーション・システム『プロフェッショナルタイプ』ｆｏｒ　ＷＩＮ９５　＆　ＭＡＣ」との記載があり、製品の構成内容として、「Ｃマウント・デジタルカメラ」「ソフトウェアＰｉｘｅｒａ　Ｓｔｕｄｉｏ」「ソフトウェアＰｉｘｅｒａ　Ａｌｂｕｍ」や専用ケーブル・同スタンド等からなる旨の記載がある。そして、「キャプチャ＆フォトレタッチソフト『Ｐｉｘｅｒａ　Ｓｔｕｄｉｏ』」の説明として、「ビューファインダーの動画像を見ながら、撮りたいシーンをシャッターを切る感覚で撮影できます。」「取り込んだ画像の色調整などさまざまなツールで加工できます。」の記載がある。また、「アルバムソフト『Ｐｉｘｅｒａ　Ａｌｂｕｍ』」の説明として、「キャプチャした画像をアルバムにストック。タイトル別に整理して管理できます。」「スタジオからアルバムへ自動転送で貼り付けることができます。」「もちろんアルバムからスタジオに取り込むことも可能です。」「ＴＷＡＩＮドライバーにより他社のスキャナーやデジタルカメラからも画像取り込みが可能です（Ｗｉｎｄｏｗｓ９５のみ）。」の各記載がある。
　さらに、カタログ裏面の左下には、「ｐｉｘｅｒａ」の表示があり、その最下部に小さく、「このカタログは１９９７年７月現在のものです。」との記載がある。
　イ　ＣＤ−ＲＯＭ現物の写真（乙第２号証の１及び２）には、それぞれ、上段には「Ｖｅｒｓｉｏｎ２．６．１」「１２０ｅｓ　Ａｐｐｌｉｃａｔｉｏｎ　Ｓｕｉｔｅ」「Ｃａｍｅｒａ　Ｓｙｓｔｅｍ；１２０ｅｓ」と題し、下段には「Ｖｅｒｓｉｏｎ２．１．１」「Ｖｉｓｕａｌ　Ｃｏｍｍｕｎｉｃａｔｉｏｎ　Ｓｕｉｔｅ」「Ｃａｍｅｒａ　Ｓｙｓｔｅｍ；Ｐｒｏｆｅｓｓｉｏｎａｌ」と題するＣＤ−ＲＯＭが写されており、いずれにも下部に、「ｐｉｘｅｒａ」の表示がある。
　そして、ＣＤ−ＲＯＭには、「Ｗｉｎｄｏｗｓ　ＯＳ」対応、「Ｍａｃ　ＯＳ」対応として、それぞれ、「Ａｌｂｕｍ　Ｖ２．０」「Ｐｉｘｅｒａ　Ａｌｂｕｍ　Ｖ２．１．１」ほかのソフトウェアが記録されている旨の表示があり、また、「Ｄｅｍｏ　Ａｌｂｕｍ　Ｉｎｃｌｕｄｅｄ」の表示がある。
　ウ　ＰＣの起動画面のプリントアウト（乙第３号証の１）には、上段に「ｄｅｍｏ−ＰＩＸＥＲＡ　Ａｌｂｕｍ」と表示され、画面中央部に「ＰＩＸＥＲＡ　Ａｌｂｕｍについて」と表示されており、また、同号証の２以下の画面によれば、この「ｄｅｍｏ−ＰＩＸＥＲＡ　Ａｌｂｕｍ」には、「Ｐｉｘｅｒａ　１２０ｅｓ」「Ｐｉｘｅｒａ　Ｐｒｏｆｅｓｓｉｏｎａｌ」に対応して、画像ファイルが幾つかのフォルダに分けられ格納されているのが認められる。
　エ　ＰＣの起動画面のプリントアウト（乙第４号証の１ないし３）は、「Ｗｉｎｄｏｗｓ　ｍｅｄｉａ　Ｐｌａｙｅｒ」の動作画面と認められるところ、画面には、女性と動作するディスプレイ、キーボード、Ｃマウント・デジタルカメラ様のものが写されている。
　そして、これらの画像とＣＤ−ＲＯＭとの関係は画面自体からは必ずしも明らかとはいえないが、上記アの商品カタログ中の「ビデオ会議」の模様を写した写真と相通じるものであり、「Ｖｉｓｕａｌ　Ｃｏｍｍｕｎｉｃａｔｉｏｎ　Ｓｙｓｔｅｍ」の一つの操作例を示すことを内容とする動画とみるのが自然である。
　オ　注文書及び請求書（乙第５号証の１、２及び３）によれば、平成１７年１月１４日の発注により、日本ボラデジタル株式会社と被請求人との間で、単価１５，０００円の「Ｖｉｓｕａｌ　Ｃｏｍｍｕｎｉｃａｔｉｏｎ　Ｓｕｉｔｅ　Ｖｅｒ．２．１」（数量１）について取引があったと推認される。また、注文書、納品書及び請求書（乙第５号証の２及び４）によれば、ライカ　マイクロシステムズ株式会社の平成１９年１月１７日付発注により、単価２０，５２０円の品名「ＰＩＸ−１２０ｅｓ　１２０ｅｓ　Ａｐｐｌｉｃａｔｉｏｎ　ｓｕｉｔ」（数量１）を被請求人が平成１９年１月１８日に納品したことが認められる。
　そして、上記各取引書類に表示された商品名と乙第２号証のＣＤ−ＲＯＭとはバージョン表記において一致してはいないが、バージョンは異なるがこれと同種のものが取引の対象とされたとみて必ずしも不自然とはいえない。
　なお、請求書（乙第５号証の３）には、「ｐｉｘｅｒａ」の表示がある。
（２）本件商標は「ピクセラ」の文字からなるものであるところ、上記（１）アの使用に係る商標は「ピクセラ」であるから、本件商標とは同一あるいは社会通念上同一の商標と認め得るものである。また、同イ及びオの使用に係る商標は、「ｐｉｘｅｒａ」の文字よりなるものであり、本件商標とは片仮名文字と欧文字との相違はあるが、称呼を共通にし、観念上の変動を伴うものでもないから、本件商標とは社会通念上同一の商標と認め得るものである。
（３）本件において取消請求に係る指定商品は、「レコード，メトロノーム，映写フィルム，スライドフィルム，スライドフィルム用マウント，録画済みビデオディスク及びビデオテープ」である。そして、被請求人は、そのうち「録画済みビデオディスク」に使用した旨主張している。
　しかして、本件商標の指定商品の一である「録画済みビデオディスク」についてみると、同商品は、画像及び音声のアナログ信号・デジタル信号がらせん状に記録された円盤状の記録媒体（ビデオディスク）であり、そこに記録された写真や映像等を内容とする商品であって、取引者・需要者は、その内容物（写真や映像の著作物等）を得る目的をもって同物品（記録媒体）を取引の対象とする商品と解すべきものである。
　そこで、本件商標の使用に係る商品をみると、当該ＣＤ−ＲＯＭには、「Ｖｉｓｕａｌ　Ｃｏｍｍｕｎｉｃａｔｉｏｎ　Ｓｙｓｔｅｍ」に供される上記（１）の「キャプチャ＆フォトレタッチソフト」や「アルバムソフト」等が共に記録されており、これらの中には、画像や音声等が記録されていると認められるけれども、商品カタログにおける説明及び起動画面のプリントアウトに照らせば、記録された画像や音声等については上記システムの取り扱いや見本として収録しているものとみるべきものである。そして、この商品（ＣＤ−ＲＯＭ）は、その品質や用途からして、専らそこに記録された画像や音声等を得る目的で取引の対象とされるものではなく、Ｃマウント・デジタルカメラから取得した画像データ等を収録したり加工等するための上記システムのアプリケーションソフトとして取引に供される商品、すなわち、「電子計算機用プログラム」の一と解するのが相当である。
　してみると、本件商標の使用に係る上記商品は、その取引目的や内容（品質・機能）等に照らせば、取消請求に係る指定商品「録画済みビデオディスク」に属する商品には該当せず、それとは全く別種の商品といわざるを得ないものである。
（４）被請求人は、ＪＩＳ規格によれば、当該ＣＤ−ＲＯＭが「録画済みビデオディスク」に該当することは明らかである旨主張し、さらに、ある製品が商標実務上の２以上の商品概念に属することがあることは経験則の教えるところであるから、本件のＣＤ−ＲＯＭがコンピュータプログラムをも含んでいるがゆえに、また、ＰＣ上で作動するものであるがゆえに、直ちに、「録画済みビデオディスク」に該当しないということはできない旨主張する。
　しかしながら、日本工業規格（ＪＩＳ）における「ビデオディスク」の用語の定義によって「ビデオディスク」そのものは明らかにし得るとしても、商標法上の商品「録画済みビデオディスク」の概念が直ちに規定されるとまではいえず、「録画済みビデオディスク」は、商取引上、上記（３）に述べたとおりの商品と解するのが妥当というべきである。
　また、確かに、コンピュータプログラムを含むことや、ＰＣ上で作動することを理由として、「録画済みビデオディスク」に該当しないとまで断ずることはできない。
　しかし、本件に係るＣＤ−ＲＯＭが、画像データ等をも記録しているからといって、専らにその画像データ等を取引対象とするものであるとは言い難く、また、「録画済みビデオディスク」と「電子計算機用プログラム」が主従の差なく複合した一の商品とみるべき合理的な理由もなく、当該ＣＤ−ＲＯＭが複数の商品概念に属する商品とみるのが取引実情に沿い妥当であるとすべき的確な証拠もないから、上記（３）のとおり、これらが別種の異なる商品概念に属するものであるとした判断は、前記被請求人の主張によって左右され得ないものである。
（５）しかして、本件商標が使用されたとして提出された証拠をもっては、本件商標が「録画済みビデオディスク」に使用されたとは認められないものである。また、取消請求に係る他の指定商品について、本件商標の使用を窺わせる主張及び立証はない。
（６）以上のとおり、被請求人提出の証拠によっては、本件商標が、本件審判請求の登録前３年以内に、取消請求に係る指定商品に使用されたことを認めることができない。また、他に上記指定商品について本件商標の使用を認め得る証拠はなく、不使用についての正当理由に係る主張及び立証はない。
　したがって、本件商標は、商標法第５０条に基づき、取消請求に係る指定商品について、その登録の取り消しを免れないものである。
　よって、結論のとおり審決する。